(57)【要約】  リストバンド（１２）は、データバースト（３８）を受信可能なＲＦ受信機（３４）を含む。データバースト（３８）は会場（１００）やギグ等のイベントで観客に着用される各リストバンド（１２）または選択されたグループの各リストバンド（１２）の操作を制御する埋込アクティベーションコードを復元するためコントローラ（２８）に読込まれる。更に、各リストバンドは、高輝度ＬＥＤ、好適には複数のＬＥＤ等の、最低一つの光源（３６）を含む。受信したデータバースト（３８）がリストバンドに関連する（すなわち、アドレスされた）と判断された場合、データバーストから復元したアクティベーションコードは、リストバンド（１２）のメモリ（２５）に記憶されたＬＥＤ制御シーケンスに従い、クロスリファレンスされる。特に、メモリにはアクティベーションコードの識別によりコントローラで実行可能な最低一つの制御シーケンスが記憶され、観客が着用したリストバンド（１２）によりライトショーを演出するため、発光素子（３６）の選択的なイルミネーションを実行する。ライトショーには、一色以上のＬＥＤの選択的な点滅が含まれる。各リストバンドのアドレスが特定のゾーンに指定され、リストバンドのメモリが、データバースト（３８）に含まれ、コントローラ（２８）に関連を判断されるゾーンのアクティベーションコードを含む場合、ライトショーを会場（１００）のゾーン（１０２−１１０）に基づき実行できる。【選択図】図１
2014529844.tif 000002
【特許請求の範囲】
【請求項１】
識別アドレスを有する、もしくは指定された特定のチャネルに対応する、ワイヤレスでアドレス可能なリストバンド（１２）において、前記リストバンドは、
対応するアクティベーションコード毎にインデックスされた少なくとも一つの予めプログラムされた照明制御シーケンスが記憶させられたメモリ（２５）と、
ＲＦデータバースト（３８）を受信し、かつ前記ＲＦデータバーストがワイヤレスでアドレス可能な前記リストバンド（１２）の前記識別アドレスを含む場合、もしくは前記データバーストが指定された特定の前記チャネルに存在する場合、アクティベーションコード（２０４）を復元するように設けられたＲＦ受信機（３４）と、
復元された前記アクティベーションコードに応答でき、かつ前記メモリに接続されたコントローラ（２８）であって、前記コントローラは受信した前記データバースト内の前記アクティベーションコードが識別された場合に、少なくとも一つの前記照明制御シーケンスを実行するように調整もしくは構成された前記コントローラと、
前記リストバンド（１２）と一体化され、前記コントローラ（２８）に応じて操作される少なくとも一つの光源（３６）と、を備え、
前記コントローラは、予めプログラムされた前記照明制御シーケンスに応じて前記光源（３６）を選択的に発光させるように調整もしくは構成されている。
【請求項２】
対応するアクティベーションコード毎にインデックスされた複数の異なる照明制御シーケンスが前記メモリに記憶されている、請求項１に記載のワイヤレスでアドレス可能なリストバンド（１２）。
【請求項３】
複数のＬＥＤ光源を更に含み、各照明制御シーケンスは、特定の復元可能なアクティベーションコードと一つもしくはそれ以上の受信したデータバーストとに紐付けられ、各特定のアクティベーションコードは、一つもしくはそれ以上の複数の前記ＬＥＤ光源を独立して制御するように構成されている、請求項１または２に記載のワイヤレスでアドレス可能なリストバンド（１２）。
【請求項４】
前記リストバンドはインターフェース（２８）を含み、かつ前記メモリ（２５）は前記インターフェース（２８）を介してアクセス可能な、ダウンロード可能なデータファイルを含む、請求項１，２もしくは３に記載のワイヤレスでアドレス可能なリストバンド（１２）。
【請求項５】
前記ワイヤレスでアドレス可能なリストバンド（１２）は、前記識別アドレスを備えるようにプログラム可能である、前記いずれかの請求項に記載の前記ワイヤレスでアドレス可能なリストバンド（１２）。
【請求項６】
境界もしくはセキュリティチェックポイントを通過することを許可するべく前記リストバンドを認証するための、スキャン可能なバーコードもしくは電子署名を更に含む、前記いずれかの請求項に記載のワイヤレスでアドレス可能なリストバンド（１２）。
【請求項７】
ＲＦＩＤを更に含む、前記いずれかの請求項に記載のワイヤレスでアドレス可能なリストバンド（１２）。
【請求項８】
ワイヤレスでアドレス可能なリストバンドの第１グループは第１ゾーンアドレスに紐付けられ、ワイヤレスでアドレス可能なリストバンドの第２グループは前記第１ゾーンアドレスとは異なる第２ゾーンアドレスに紐付けられ、ワイヤレスでアドレス可能なリストバンドの前記第１グループは、前記第１ゾーンアドレスを含むデータバーストを受信したことに対して選択的に作動させられ、ワイヤレスでアドレス可能なリストバンドの前記第２グループは、前記第２ゾーンアドレスを含むデータバーストを受信したことに対して選択的に作動させられる、前記いずれかの請求項に記載のワイヤレスでアドレス可能なリストバンド（１２）を含む照明システム。
【請求項９】
ＲＦ送信機（４０）に接続されたＤＭＸ照明制御装置（４２）であって、前記ＲＦ送信機（４０）からのデータバースト送信を制御するように調整もしくは構成された前記ＤＭＸ照明制御装置、を更に備えた請求項８に記載の照明システム。
【請求項１０】
観衆のうちの少なくとも一人の観衆が請求項１ないし７のいずれかに記載のワイヤレスでアドレス可能なリストバンド（１２）を供与されたイベントもしくは会場（１００）において照明効果を得るための方法であって、前記方法は、
音声トラックにおける少なくとも一つの音楽フレーズに同期させられる音声トラック用の埋め込み制御信号を復元し、
ＲＦデータバーストを少なくとも一つのリストバンドと通信させ、前記ＲＦデータバーストは前記音声トラックの前記埋め込み制御信号を反映させたＬＥＤイルミネーションの制御情報を含み、
前記少なくとも一つのリストバンドにより前記ＲＦデータバーストを受信し、かつ前記ＬＥＤイルミネーションの制御情報を復元し、かつ
前記少なくとも一つのリストバンドにおいて、復元した前記ＬＥＤイルミネーションの制御情報に従って、ＬＥＤイルミネーションを少なくとも一つの前記音楽フレーズに同期させることを実行する、ことを含む。
【請求項１１】
導体を介して互いに接続された複数のＬＥＤを含むＬＥＤストリップを含み、前記ＬＥＤストリップの少なくとも一部は、使用時に、ワイヤレスでアドレス可能なリストバンドのオペレーションを開始する制御インストラクションによりエンコードされた変調ＲＦ信号を受信するためのＲＦループアンテナ（５０８）として機能するように構成された、ワイヤレスでアドレス可能なリストバンド（１２）。
【請求項１２】
前記ループアンテナは無端状であり、ＬＥＤストリップの第１および第２の端部は、前記ＬＥＤストリップへの電力を調節するためのプロセッサにより制御されるスイッチを挟んで接続されている、請求項１１に記載のワイヤレスでアドレス可能なリストバンド（１２）。
【請求項１３】
前記ＬＥＤストリップは光透過性の袖状の部分（７０６）を通過している、請求項１１または１２に記載のワイヤレスでアドレス可能なリストバンド（１２）。
【請求項１４】
制御モジュールとＲＦ受信モジュールとに対してそれぞれ電力を供給する複数の電源を含み、前記制御モジュールはＬＥＤ操作を調節するように構成もしくは調整され、かつＲＦ受信モジュールはループアンテナを介して受信され入力された変調信号からデータを復元するように構成もしくは調整された、請求項１１、１２、もしくは１３に記載のワイヤレスでアドレス可能なリストバンド（１２）。
【発明の詳細な説明】
【技術分野】
【０００１】
この発明は、概して双方向性の照明効果に関するものであり、コンサートやスポーツイベントなどの催しにおいて多数の観客が装着することにより，各リストバンドにより調和のとれたディスプレイを実現するよう、各リストバンドに一体的に組み込まれた発光素子に選択的に電圧を印加するように作動させられる電子リストバンドに適用可能であるが、特にこれに限られるものではない。本発明は、ＲＦ方式のＬＥＤリストバンドの好適な実施例において、統合アンテナにも関するものである。
【背景技術】
【０００２】
社会的な意識や認識を表現するための主義主張に関するメッセージやロゴを含むシリコン製のブレスレットやリストバンドは流行の兆しを見せている。このようなブレスレットは安価に製造することができ、各種のチャリティーまたは他の善意の目的における基金における集金を促進するための販売会場において購入することができる。このようなリストバンドにおけるメッセージは、実際には、スポンサーシップを表示するものであり、スポンサー企業の販売促進ツールとして直接的な効果を奏する。
【０００３】
リストバンドはコンサートホールなどの会場への正式な入場許可を証明するためにも使用されており、リストバンドの認証のためにスキャンされることにより境界もしくはセキュリティのチェックポイントを通過できるようシリアル番号や（バーコードのような）その他の識別マーカーを備えている。
【０００４】
リストバンドの製造には、天然素材あるいは合成素材の組紐、シリコンラバーなど多様な材料が用いられており、リストバンドの中には電源と「オン」もしくは「オフ」に切り替え可能であって、点滅する、集積型ＬＥＤ（または同種のもの）をさらに備えているものもある。例えば、ＦｌａｓｈｉｎｇＢｌｉｎｋｙＬｉｇｈｔｓ社（カリフォルニア州サンバレー）は、ボディライトや発光するジュエリーを専門に扱っている。
【０００５】
伝統的に、集団によるディスプレイ（演出）は、カードや色彩を集団により一丸となって表示させるために集団を協調させる労力を要する。米国特許出願１１／４８２２４５号（米国特許公開第２００８／０００７４９８号）の（異なる３色の高輝度ＬＥＤを備える）携帯型棒（ＷＡＮＤ）は、高速赤外パルスレーザーをバーストさせるように特定の棒（ＷＡＮＤ）を作動する多重ビーム走査型ガルバノメータを使用することにより起動させられる。このシステムは、ガルバノメータにより制御されるブレーズに、ＬＥＤ棒（ＷＡＮＤ）の色彩を制御するために独立した信号を広域な範囲に対して迅速に送信させるように一時的なディザリングの特性を利用することを特徴とする。このレーザーの作動方法は、短い遅延時間の間、色彩が残留することにより色彩が元の位置に見えるという人間の残留感覚を利用するものであり、これにより有効画素や点光源を生じさせる。また、米国特許公開第２００８／０００７４９８号は、棒（ＷＡＮＤ）におけるＬＥＤを作動させるために衝撃を用いた方法が開示されている。より具体的には、動作や（硬い物体との）衝突により棒（ＷＡＮＤ）内部で誘発された振動を衝撃センサが検知した後、コントローラにより照明パターンが作動する。
【発明の概要】
【０００６】
この発明における第一の実施態様によれば、対応するアクティベーションコード毎にインデックスされた少なくとも一つの予めプログラムされた照明制御シーケンスが記憶させられたメモリと、ＲＦデータバーストを受信し、かつデータバーストがワイヤレスでアドレス可能なリストバンドの識別アドレスを含む場合、前記アクティベーションコードを復元するように設けられたＲＦ受信機と、復元された前記アクティベーションコードに応答でき、かつ前記メモリに接続されたコントローラであって、前記コントローラは受信した前記データバースト内の前記アクティベーションコードが識別された場合に、少なくとも一つの前記照明制御シーケンスを実行するように調整もしくは構成された前記コントローラと、前記リストバンドと一体化され、前記コントローラに応じて操作される少なくとも一つの光源と、を備え、前記コントローラは、予めプログラムされた前記照明制御シーケンスに応じて前記光源を選択的に発光させるように調整もしくは構成されている、識別アドレスを有するワイヤレスでアドレス可能なリストバンド、が提供される。
【０００７】
好適な実施例では、前記メモリには、対応するアクティベーションコード毎にインデックスされた複数の異なる照明制御シーケンスが記憶されている。
【０００８】
ワイヤレスでアドレス可能な前記リストバンドは、複数のＬＥＤ光源（通常は、少なくとも、赤色、緑色、青色および白色を含むグループから選択される）を含むことができ、各照明制御シーケンスは、特定の復元可能なアクティベーションコードと一つもしくはそれ以上の受信したデータバーストとに紐付けられ、各特定のアクティベーションコードは、一つもしくはそれ以上の複数の前記ＬＥＤ光源を独立して制御するように構成されている。
【０００９】
この発明における他の実施態様によれば、第一の実施態様（とその好適な実施例）に係るワイヤレスでアドレス可能な複数のリストバンドを含む照明システムが提供され、それにおいて、ワイヤレスでアドレス可能なリストバンドの第１グループは第１ゾーンアドレスに紐付けられ、かつワイヤレスでアドレス可能なリストバンドの第２グループは前記第１ゾーンアドレスとは異なる第２ゾーンアドレスに紐付けられ、ワイヤレスでアドレス可能なリストバンドの前記第１グループは、前記第１ゾーンアドレスを含むデータバーストを受信したことに対して選択的に作動させられ、ワイヤレスでアドレス可能なリストバンドの前記第２グループは、前記第２ゾーンアドレスを含むデータバーストを受信したことに対して選択的に作動させられる。
【００１０】
さらに他の実施態様によれば、観衆のうちの少なくとも一人の観衆が、第一の実施態様に係る前記ワイヤレスでアドレス可能なリストバンドを供与されたイベントもしくは会場において照明効果を得るための方法が提供される。より具体的には、この方法は、音声トラックにおける少なくとも一つの音楽フレーズに同期させられる音声トラック用の埋め込み制御信号を復元し、ＲＦデータバーストを少なくとも一つのリストバンドと通信させ、前記ＲＦデータバーストは前記音声トラックの前記埋め込み制御信号を反映させたＬＥＤイルミネーションの制御情報を含み、前記少なくとも一つのリストバンドにより前記ＲＦデータバーストを受信し、かつ前記ＬＥＤイルミネーションの制御情報を復元し、加えて、前記少なくとも一つのリストバンドにおいて、復元した前記ＬＥＤイルミネーションの制御情報に従って、ＬＥＤイルミネーションを少なくとも一つの前記音楽フレーズに同期させることを実行する、ことを含む。
【００１１】
この発明における好適な実施例の利点としては、低コストで、企画されたコンサートや会場における観客に対して視覚的に刺激的な照明効果が達成できることである。ＲＦ送信機から送信されるデータバースト中の特定のアクチュエーションコードを利用することにより、観客席における一つまたはそれ以上のゾーンにおいて、各対象ゾーン内のＬＥＤを一つまたはそれ以上の色彩により同時に作動させるためのゾーン制御を可能にする。ＲＦアクチュエーションコードはリストバンド内のコントローラに読み込まれ、リストバンドのメモリに予めプログラムされた所定の照明パターンが開始される。一方、複数の発光リストバンドが配布される会場が単一のゾーンである場合、各グループ毎に（もしくは各リストバンド毎に特有に）指定されるＩＤ番号やコードに基づいて、各グループを特定することができる。そのため、照明制御は集中型制御装置により操作することができ、観客に頒布された各リストバンドにより、ショーやイベント、コンサートなどに参加している観客の一体感、およびその一体的な照明効果を向上することができる。
【００１２】
好適な実施例によれば、前記リストバンドは高輝度ＬＥＤを覆う生分解性の編組素材から形成される。また、その素材は表面が清潔に保たれた低刺激性のシリコンであってもよい。
【００１３】
この発明における他の実施態様によれば、導体を介して互いに接続された複数のＬＥＤを含むＬＥＤストリップを含み、前記ＬＥＤストリップの少なくとも一部は、使用時に、ワイヤレスでアドレス可能な前記リストバンドのオペレーションを開始する制御インストラクションによりエンコードされた変調ＲＦ信号を受信するためのＲＦループアンテナとして機能するように構成されている、ワイヤレスでアドレス可能なリストバンドが提供される。
【００１４】
好適な実施例によれば、前記ループアンテナは無端状であり、ＬＥＤストリップの第１および第２の端部は、前記ＬＥＤストリップへの電力を調節するためのプロセッサにより制御されるスイッチを挟んで接続されている。さらに、前記ＬＥＤストリップは光透過性の袖状の部分を通過していてもよい。
【００１５】
前記ワイヤレスでアドレス可能なリストバンドは、好ましくは、制御モジュールとＲＦ受信モジュールとに対してそれぞれ電力を供給する複数の電源を有し、前記制御モジュールはＬＥＤ操作を調節するように構成もしくは調整され、かつＲＦ受信モジュールはループアンテナを介して受信され入力された変調信号からデータを復元するように構成もしくは調整されている。
【図面の簡単な説明】
【００１６】
この発明の実施例は、以下添付図面を参照して説明される。
【図１】この発明の実施例に係る発光するリストバンドを含む好適なシステムの概略図である。
【図２】この発明における好適な制御アルゴリズムに基づき始動される照明効果をサポートするために区分された観客席の略図である。
【図３】図１におけるシステムにおいてリストバンドを起動させるための好適な区分のコード体系を表す図である。
【図４】外的要因に応じて、図１のＬＥＤリストバンドのイルミネーションを選択的に実行するための照明制御方法を示すフローダイアグラムである。
【図５】本発明の好適な実施例に係る統合アンテナを有する受信回路の概略図である。
【図６】複合アンテナとＬＥＤ照明ストリップを組み合わせるための部分回路図である。
【図７】本発明の好適な実施例に係るＲＦ方式ＬＥＤリストバンドの後面斜視図である。
【発明を実施するための形態】
【００１７】
図１は、複数のリストバンド１２（そのうちの１つのみが詳細に示され、また合計で３つのみが示される）を含む好適なシステム１０を表す概略図である。
【００１８】
各リストバンド１２は、生分解性の紐材や射出成形した合成材料などの適宜の素材から製造される。必要に応じて、リストバンドは、リストバンド１２の全長を短縮することができる調節可能なストラップや留め金１４（または同種のもの）を備えていてもよい。外表面１６には、ロゴ１８あるいはバーコード２０のような他の情報などの印刷が施される。コンサート会場のような制限された場所へ入場するため、バーコード２０は、リストバンドが正当なものであるかどうかを電子認証するために読み取り可能となっている。
【００１９】
リストバンド１２自体は、着色顔料および／または蛍光性および／または燐光性を有する素材により製造される。
【００２０】
リストバンド１２は、キオスク２２においてイベント主催者へ支払いを行うことによりイベント会場にて頒布され、キオスク２２は、有人でもよく、ＡＴＭを有する電子「チケット／リストバンド」の自動販売機により構成されていてもよい。あるいは、リストバンドを郵便により事前に頒布してもよい。
【００２１】
リストバンド１２には各種電子部品が組み込まれている。好ましくは、これらの部品のうち少なくとも数点の部品は、それらを覆う保護材により挟みこむように収容される。基本的に、リストバンドは、使い捨ての時計用ＤＣバッテリやフィルム型（充電式）リチウムイオンバッテリ等のローカル電源２６と接続されるコントローラ２４を備えている。
【００２２】
コントローラ２４は、適宜のインターフェース２８によってプログラム制御可能であり、インターフェース２８は物理的な接続部や受動的にアクセス可能な接点を有する種々の態様を含む。そのため、コントローラ２４は実行可能なプログラムコードと、割り当てられた識別情報（または同様のもの）のための記憶領域と、を有するメモリ２５を備えている。あるいは、ディスクリートメモリを備えていてもよい。
【００２３】
実施の形態に応じて、リストバンド１２に設けられている回路３０は、コントローラ２４に接続されるタイマーもしくは時計３２を備えていてもよい。時計３２は後述するように照明効果を同時に発生させるために使用してもよい。
【００２４】
好適な実施例によれば、リストバンド１２はプリントアンテナを有するＲＦ受信機３４を備えている。このＲＦ受信機３４は公知であるため、当業者に対しては、受信機回路はコントローラ２４に接続されているため（アドレスを指定するという意味で）所望のデータバーストは各リストバンドにより受信され、かつそれらのコントローラ２４によりデータの解釈を行うことができる、との説明で十分である。これらは公知であるため、回路要件およびその構成については当業者は容易に理解できる。
【００２５】
また、各リストバンド１２は、インシデントデータバースト３８に基づいて再生した命令に応じてコントローラ２４から出力された制御信号により操作される少なくとも一つの高輝度ＬＥＤ素子３６（もしくはその他の制御可能な発光素子）を備えている。好ましくは、各リストバンド１２は、赤色、青色、緑色の光を発する独立した少なくとも３つのＬＥＤを備えている。勿論、各リストバンド１２におけるＬＥＤの色と数量については設計事項であり、所望の照明効果を奏するように変更可能である。例えば、リストバンドは、白色光ＬＥＤを含んでいてもよく、オレンジ色等、特定の色を発するＬＥＤのみにより構成されていてもよい。
【００２６】
リストバンド１２内の回路３０は一体物の基盤上に配置してもよいが、ＲＦ受信処理部と他のＬＥＤ制御部とに動作機能を分割することが好ましい。
【００２７】
発光素子はリストバンド１２の外表面から突出させられていてもよく、あるいは、光散器として機能し、かつ／もしくは、光源の存在を隠すように設計されている素材の層でそれぞれ被覆されていてもよい。
【００２８】
システム１０は、送信機４０と、必要に応じて舞台や会場内をＲＦ受信可能な範囲とする中継局とを更に備えていることを特徴とする。しかしながら、人密度、マルチパスやその他の電波障害に関わらず、リストバンドを確実に作動させるためには０．５Ｗ程度の高出力送信機で充分である。コンサートの環境下において、特にロックコンサートなどでは、コンサートの観客が手を頭上に上げ音楽に合わせて手を動かすことにより、恣意的に配置された（例えばガントリーに取付けられた）アンテナと各リストバンド間の見通し線が頻繁に確立されやすいことが確認されている。したがって、選択されたグループ内のリストバンドのＬＥＤを（ステージの管理部門から促されたかどうかに関わらず）瞬間的ではないにせよ極めて短時間で作動させることができる。そのため、データバースト３８は一定の継続時間繰り返すことができ、各データバーストは１つまたはそれ以上のリストバンドに割り当てられる固有のアクティベーションコードを使用して特定される。
【００２９】
実施の形態によっては、ＬＥＤ素子３６から出力される光を同期させるためにプログラムされた時計３２を利用することになるが、他の実施形態では、照明制御装置４２を利用することになる。
【００３０】
前者の場合、リストバンドのコントローラは、それぞれ所定のイベントのための同期時間に基づいてプログラムされており、各コントローラは、事前にプログラムされた時間に、一定の時間継続するような少なくとも一つのイルミネーションイベントを開始するように構成されている。時計３２はそのため、選択された一つもしくはそれ以上のＬＥＤ素子３６によるアレンジを例えば(i)特定の期日の深夜に実行するために、もしくは、(ii)例えば赤色から始め、次に赤色と青色、その次は白色だけなど、特定の時間に動作する異なる色のＬＥＤ素子の数を徐々に増加させ、かつ／もしくは(iii)異なる視覚的なパターンを発生させるように選択された契機となる時間に応じて照明の点灯の順序を変更する、ためにコントローラを起動させる。実際には、カウントダウン機能は、要するに、内部バッテリと電気的に接触することのみにより開始され、このような接触は、公演ステージ上のディスプレイスクリーンに表示される“pull tab on band”というような指示に基づいて開始される。
【００３１】
また、バッテリ絶縁用タブを会場１００へ入場した際に引き抜くようにしてもよく、リストバンドのコントローラはリストバンドが動作中であることを告知するために予め定められた光の点滅を実行するように構成されている。
【００３２】
時間ベースのトリガーとリストバンドに内蔵された適宜の水晶振動子を利用することの利点は、コンサートをテレビやコンピュータの中継により視聴する場合であっても観客が視聴中のコンサートとの一体感を感じることが可能となることである。
【００３３】
後者の場合、(i)ショーにおけるある時点において一つまたはそれ以上のリストバンドにデータバーストでトリガーインストラクションを送信するようにプログラムされている照明制御装置、または、(ii)それに替えて、手動により（リストバンドのグループによる効果を制御するために送信機４０から適宜のデータバーストを再度送信するための）コマンド入力が可能なユーザーインターフェースを有する照明制御装置、のいずれかが照明制御装置４２として送信機に接続される。処理要件が増加するために回路のコストが増加することになるが、リストバンドに一つまたはそれ以上のアクティベーションコード、および／または、ゾーンアドレス（下記参照）をプログラムすることにより、光源の調整により広い幅を持たせることができるものと考えられる。
【００３４】
好適な実施例では、音響や照明設備を全体的にシームレス統合することが可能なデジタル・マルチプル・エックス（ＤＭＸ）技術が照明制御装置に採用されている。ＤＭＸ技術（およびその機能）は、当業者にとって充分公知であり、これにより汎用ＤＭＸケーブル５０を用いてデイジーチェーン接続されたスレーブ機器に対して、独自にアドレスを指定された情報のパケットを含むダウンリンクプロトコルインストラクションを送信することが可能となる。
【００３５】
次に、図２に示すように、会場１００は、ステージ１１２およびそれに隣接するスピーカー列１１４から扇状に外側へ広がり、（本実施例では）１０２から１１０の５つのゾーンに分割されている。ある特定の制御アルゴリズムに従い、各ゾーンにはリストバンド１２に対応する固有のゾーンアドレスが割り当てられる。各リストバンドの販売の際、インターフェース（図１における参照番号２８）により、対応するゾーンアドレスがリストバンド１２にプログラムされ、そのアドレスにより照明制御装置が選択されたセクションに対応するリストバンド群を対象とすることができる。プログラミングは（キオスク２２などにおける）販売時、もしくは他の時点において実行可能であり、（例えば）インターフェース２８がインターネットにアクセス可能なパーソナルコンピュータに接続可能であれば、これを介してすることも可能である。
【００３６】
勿論、ゾーンを増減することもでき、最低でも一つのゾーンだけでもよい。しかしながら、（データバーストまたは多重データバースト３８内の）送信信号により、会場１００における照明効果を補助するリストバンド内のＬＥＤを選択的に作動させることが可能となるので、ゾーンアドレスは全ての場合において使用可能である。勿論、各ＬＥＤが時計３２を利用して共通の時間を基準に同期される場合には、バースト送信は時間に基づく操作に対して補助的となる場合があるため、極端に言えば、リストバンドの回路の複雑さを低減するため完全に省略してもよい。通常、タイマー回路によりリストバンドは「使い捨て」とされるが、例えば低消費電力のタイマーを使用することにより、プログラミング目的でインターフェースを使用することを回避できる。
【００３７】
図３は、図１で示されたシステムにおいてリストバンドを作動させるための（データベースに保有される）好ましいゾーンコード体系２００を示す。このデータベースは、（初期プログラミングを行うために）キオスクや、売り上げに関する情報、またはアンコールや遅れを含む公演中に発生した演奏プログラムの変更に関する情報に基づいて照明効果の再プログラミングを可能にするため、照明制御装置を含むシステム内における複数の箇所に入力される。
【００３８】
リストバンドをプログラムするためには多様な方法がある。インシデントアクティベーションコードと達成される効果との関連に関しては、リストバンド１２のメモリ２５にローカルで記憶させられている。例えば、第一プロセスにおいて、各リストバンドのコントローラは（例えば１６進コード、Ａ１などの）データバーストを、赤色のＬＥＤは通電されていると解釈するようにプログラムされている。データバースト３８は、「ゾーンＡ」のリストバンドだけが作動し赤色のＬＥＤのみが通電するように、ゾーン識別情報２０２を含むように拡張することができる。同様に、青色と緑色のＬＥＤはそれぞれ、例えばＡ２とＡ３のように異なる１６進コードにより作動させられ、またこれらのアクティベーションコード２０４は特定のゾーン（もしくはリストバンドのバッチ）に対応している。２色のＬＥＤ（例えば赤色と緑色のＬＥＤ、もしくは緑色と青色のＬＥＤ）を同時に作動させることが要求されている場合には、異なる各ゾーン（もしくはリストバンドのバッチ）にそれぞれ対応する異なるコードが使用されることになる。さらに、各コードはＬＥＤを発光させる特定のパターンまたは速度を決定し、コード８Ｆの場合、全てのリストバンドを作動させ、予めプログラムされた（リストバンドのコントローラ２４内のメモリ２５に予め記憶させられた）ＬＥＤを点灯させる順序に従うべく判断させるように、各コントローラに伝達することができる。
【００３９】
各リストバンドにより実行される点灯の順序に関するプログラミング、もしくは、ＤＭＸ照明制御装置４２のプログラミングは、特定の楽曲や演目の一部など、会場１００内におけるイベントや出来事に全体的に同期するように行われる。
【００４０】
照明制御装置４２は複数のインストラクションを連続して送信することができ、そのため、例えば、第１ゾーンにおける各リストバンドを毎秒１回のペースで赤色のみ点灯させるようにし、それに対し、第２ゾーンにおける各リストバンドを毎秒２回のペースで緑色を点灯させるなど、異なるゾーンにおいて異なる色彩効果を生じさせることができる。また、大部分のＬＥＤを実質的にオーバーラップさせるため、「オン」が継続するよう設定されてもよい。
【００４１】
無線環境において見通し線が確保されているとすれば、大部分のリストバンドをほぼ連係させて作動させることができる。（バーストにおける）アクティベーションインストラクションを受信すると、ＬＥＤは（例えば、クロック・サイクルに基づく）所定時間、もしくは特定の照明パターンの終了時まで作動状態に維持される。
【００４２】
リストバンドにおけるＬＥＤの点滅または連続点灯の中断は、例えば１６進コードの「ＦＦＦＦ」など、「オフ」コマンドによって制御される。「オフ」コマンドは、例えばゾーンアドレスを用いることにより、固有にアドレス指定されたリストバンドを対象にすることができ、あるいは、全ての作動中のリストバンドのコントローラを対象とした全体的な命令とすることができる。
【００４３】
いずれの適宜のコード体系を使用することができ、いずれの適宜の変調方式を適用することができるが、変調の形式については、一般的に、資格を必要としない周波数帯が選択される。周知のように、比較的に高い出力を使用する場合（ライセンス免除の周波数帯、英国では８６９．５ＭＨｚ）、非常に低速の通信速度（例えば１０ｋｂｐｓ）と（通常）１０％以下の送信負荷サイクルが要求されるため、オフセットが発生する。送信機は、一方で点灯パターンの複雑さにより、１秒から２秒の間に（パケット長に応じて）１パケットしか送信することができないことを意味する。しかしながら、ライセンスを取得して実施した場合、異なるアプローチやバースト送信の回数を増加することが可能となり、好適な実施例では、（小節中、または好ましくは毎ｘ秒に一度、ここでｘはビートと点灯のタイミングとを全般的に確実に同期させるよう選択される）ビートに同期させることができる。
【００４４】
一つの実施例として、無作為に選択されたリストバンドを対象として、その着用者を固有に識別できるように、その無作為に選択されたリストバンドは固有のコードでプログラムしてもよい。このような固有のコードアドレスにより、その着用者に（コンサートにおけるリストバンド着用者の全体のうち）選択された当選者としての特別待遇を与ることが可能となる。
【００４５】
一つの実施例として、リストバンドに、（上述の）全体的な照明効果の一部として機能することができる、すなわち、例えば（ローカルメモリーに予め保存されているか、もしくはリストバンドに送信された）宣伝素材や広告媒体など、記憶された画像データを表示することができるＬＥＤ配列（またはＯＬＥＤのような小型画像表示装置）を設けてもよい。
【００４６】
あるいは、またはそれに加えて、メモリ２５はリストバンド１２のインターフェース２８を介して、ダウンロード可能なファイルを含むことができ、これらの内部ファイルは画像や音楽、またはその他広告／マーケティングに関する媒体を含む。
【００４７】
図４は、例えばエンコードされたＲＦデータバーストなどの外的要因に応じて、図１のＬＥＤリストバンドのイルミネーションを選択的に実行するための照明制御方法を示すフローダイアグラム４００である。本プロセスは４０２から開始され、４０４においてショーやイベントで選択的に使用される照明パターンのシーケンスを生成する。この照明パターンのシーケンスは、次に、４０６においてアクティベーションコードと紐付けられ、４０８においてリストバンド１２のメモリ２５内のデータもしくはプログラムと紐付けられる。必要に応じて、ＲＦ送信により、すなわち所望のデータバースト３８により各リストバンドのアドレスを指定するため、４１０においてゾーンアドレスおよび／またはリストバンドＩＤが紐付けられる（保存される）。
【００４８】
これらのリストバンドは、イベント時に観衆や参加メンバーに頒布される。４１２において、前述のイベント時にデータバーストは、場合によっては会場内の一つまたはそれ以上の区分されたエリアにおいて、一つまたはそれ以上のグループ内の、一つまたはそれ以上のリストバンドを対象とする選択されたアクティベーションコードによりエンコードされる。その後データバーストは４１４において送信される。
【００４９】
その後、イベントにおいてそれらのリストバンドは、適宜にアドレスを指定されたデータバーストを待つことになる。そして、適宜にアドレスを指定されたデータバーストは、アクティベーションコードを復元するため、リストバンド１２のコントローラによって読み込まれる。４１８において、コントローラは基本的に、受信した（データバースト内の）アクティベーションコードと、コントローラに紐付けられ、かつリストバンドのローカルに保存されているメモリ内の対応するクロスリファレンスとが一致しているかどうかを判断する。それらが一致している場合、４２０において、コントローラは予めプログラムされた照明パターン／シーケンスを実行する。その後、この照明パターンもしくはシーケンスを完了しているか、またはタイムアウトしているかが４２２において判断され、完了している場合には、リストバンドはモニタリング状態に戻され、適宜にアドレス指定された関連するＲＦデータバーストの受信を待つことになる。照明シーケンスが依然として実行中である場合には、その後コントローラは、照明制御装置４２により出力される中断指令を随時モニターする。中断指令が確認されない場合には、照明シーケンスは、完了したと判断される、もしくは停止される時間まで継続される。
【００５０】
図５は、ＬＥＤ照明効果ストリップ５０２と組み合わされた統合アンテナを備えた好適な無線波（ＲＦ）受信装置５００を示す概略図である。（光伝送などの）他の伝送媒体は見通し線が確保されない場合には影響を受けるため、ＲＦを採用することが好ましい。周波数帯が認可されているか無認可であるかが、コンポーネント値の選択に如実に影響を与えることは周知である。
【００５１】
各直流電源に対する電力消費の要件としては、ＬＥＤ照明効果ストリップ５０６と、ＲＦ受信機およびマイクロコントローラの組み合わせと、に電力供給することである。電源条件は照明回路の形態に大きく左右され、各ストリップの内部に複数のＬＥＤを有する場合、（少なくとも初期の段階では）４ボルト（４Ｖ）以上の作動電圧、好ましくは６Ｖ以上の作動電圧が必要となることがある。一方、制御用電子装置およびＲＦ回路に対しては３Ｖのみ供給するだけでよく、受信装置のスリープモードを設定できるようにし、制御信号の入力を確認するために定期的に起動することにより、バッテリの寿命を延長することができる。
【００５２】
具体的に、図５に示す好適な実施例では、各リストバンドのＬＥＤは、銅線などの電線もしくは配線５０６で連結（もしくは接続）された一つもしくはそれ以上のＬＥＤ５０２−５０４（またはその他発光素子）が配置される任意の保護用プラスティック製ケーシングとともに製造される。電線は、変調された指令データをＲＦ信号として受信するためのアンテナ５０８として機能する。復元された復調データに基づき、照明シーケンス、およびＬＥＤ５０２−５０４から一斉に発光される制御された光を制御するためにローカルで読み込まれる指令信号が出力される。
【００５３】
マイクロコントローラ５１０は、そのソフトウェアをプログラミングできるプログラミングソケット５１２を備えている。マイクロコントローラは、受信機５１６から出力されるデータ５１４に応答し、そのデータは入力されたＲＦ信号５２０から復元される（または復調される）。受信機５１６は、代表的なものとしては、公知のＩＣベースの電子回路である。受信機は、水晶振動子５２０から時刻同期を取得する。上述のように、マイクロコントローラ５１０および受信機５１６には専用の受信電源５２２から適宜電力が供給される。
【００５４】
パルス出力器５２４は、その操作を制御し、スイッチ５２６とアンテナ整合回路５３０との間にある並列のＬＥＤ照明効果ストリップ５０６を介して回路を閉鎖するため、ＦＥＴのようなスイッチ５２６に接続される。
【００５５】
第２電源５３２は、ＬＥＤ５０４，５０６に電力を供給するように構成されている。
【００５６】
アンテナ整合回路５３０は、（アンテナから受信した）変調信号を受信機５１６の入力ピンに送信する。通常、アンテナ整合回路５３０は、インピーダンス整合を行うインダクタ−キャパシタ回路網と、アンテナ全体の物理的な長さをほぼ実質的にリストバンドの周長に合わせるためのアンテナ波長トリミング／補償機能と、必要に応じて適宜のバンドフィルタリング機能と、を備えている。このようなインピーダンス整合回路網の構成は、当業者にとって十分に公知である。
【００５７】
したがって、好適な実施例に係るアンテナは、その各端部がプリント回路基板上にのみ接続したループアンテナとなっている。アンテナ５０８は、第１ＬＥＤ５０２のアノード５４０と整合回路との間の導体の長さに応じて効果が向上し、図に示すように、並列ＬＥＤストリップは（回路性能に最小限の影響を与える）分岐線を有し、その並列ＬＥＤストリップ内の第２ＬＥＤ５０４のアノード５４２において終端処理されている。
【００５８】
アンテナ５０８は、８６９ＭＨｚにおいて約１波長となる、一般的な形態の全波ループアンテナであって、この周波数はヨーロッパにおいてライセンスが免除された周波数である。そのループは、受信機の出力により形成され、リストバンドの導体を介し、さらにプリント回路基板の「地板」に対する結合キャパシタを経由させられる。また、アンテナ５０８は、半波長（λ／２）または四分の一波長（λ／４）のループアンテナとすることができる。
【００５９】
照明効果装置がリストバンド（または、ストラップなどと同様のもの）として形成されている場合、図７の斜視図に示すように、リストバンド１２の締め付け具合を外付けの調節具７０２により物理的に調節することができる。外付けの調節具７０２は、単にリストバンドの素材を折り重なるように挟むことによる短縮機構であり、一方でＬＥＤストリップは回路やバッテリのケーシング７０４から袖状の部分７０６の周辺（好ましくは内部）に向かって外側に延伸しているため、その電気的な整合性を維持することができる。（損傷なく）ループアンテナの整合性を確保することの利点はアンテナの性能につながり、さらには補助的な利点として、ＬＥＤストリップを再利用することにより部品点数が削減でき、コストが節約できることにある。さらに、実質的な配置領域が回路基板ケース７０４の範囲内と袖状の部分７０６の範囲内とにおいて制限されているため、導体を再度使用するにあたり、ＲＦリストバンド１２内の回路の組立および接続を大幅に簡素化でき、かつリストバンドの全体の物理的な寸法を（照明効果を充分効果的に保ちつつ）制限することができる。
【００６０】
アンテナ５０８は、各ＬＥＤに電力を供給する多導体により形成され、これらの導体はアンテナを効果的に機能させるために電力供給用バッテリーやスイッチ部品とは絶縁されている。
【００６１】
次に、図６に示すように、回路基板コネクタ６００は、各ＬＥＤストリップ５０６内の導体の接続点であり、各ＬＥＤ５０２−５０４は、各ピン１、２を挟んで並列に配置されている。ＬＥＤ電源６０４は、電流制限抵抗器６０６、および導体などの第１ＲＦチョーク６０８を介して、ＬＥＤストリップに接続されている。第１結合キャパシタ６１０は、第１回路基板コネクタ上の第１および第２接続点に接続され、さらに結合キャパシタ６１０はＲＦチョーク６０８に接続している。第２結合キャパシタ６２０は、第２回路基板コネクタ上の第１および第２接続点に接続されている。結合キャパシタ６１０により、リストバンド１２内の各ＬＥＤストリップの双方の電線をアンテナとして使用することが可能となる。
【００６２】
スイッチ（図５の参照番号５２６）により、実行されるイルミネーションに寄与するため、電流がＬＥＤバッテリから電流制限抵抗器６０６を経由し、かつ並列に接続されたＬＥＤを通過することが可能になる。
【００６３】
また、スイッチ５２６は、第２ＲＦチョーク６３０を経由して、第２結合キャパシタを介して第２回路基板コネクタ上の第１接続点に接続している。したがって、ＲＦチョーク６０６、６３０は、アンテナをＬＥＤ電源／バッテリ６０４と、スイッチ５２６とから絶縁するように機能する。
【００６４】
アンテナループを形成するアンテナ５０８の「最端部」は、第２結合コンデンサ６２０と第２回路基板コネクタ上の第１接続点との間の回路ノード６４０において、接地キャパシタ６３２を介して接続（接地）される。
【００６５】
回路の構成は、勿論、選択された搬送周波数により変更可能である。さらに、図６には、導体の基本的な性質が実際にＬＥＤイルミネーションのための電力供給目的に利用されている場合に、当業者がどのようにして一般的な導体をアンテナとして機能させるかが示されている。そのため、（例えば）図５における構成は、コンサートなどの双方向性のイベントにおいて観客に特に有益であるが、ＲＦループアンテナとＬＥＤストリップとの統合構成は、照明効果の制御を実行するためのメカニズムとは独立して実施することができる。
【００６６】
上述の記載は単なる一例であり、当然、本発明の範囲内においてその詳細を変更することは可能である。例えば、リストバンドの照明シーケンスを実行するために使用される（データバースト中で通信される）アドレスに替えて、他の実施例では、（時分割多重システムにおけるタイムスロット、ＣＤＭＡチャネル、または周波数のみのいずれにおいても、）特定のリストバンドもしくはリストバンドのグループに対して予め指定されたチャネルを利用することができる。この方法では、チャネルによりリストバンドが選択され、チャネルに含まれる情報としてはアクティベーションコードのみである。そのため、このリストバンドの受信機は（指定された）特定のチャネルに合わせられ、その特定のチャネルに埋め込まれたアクティベーションコードはリストバンドの受信機３０によって復元され、このように同調させられたリストバンドに接続されたＬＥＤを作動させるものと判断される。換言すれば、「赤色を点灯させる」ためのアクティベーションコードがチャネル１で送信される場合、一方では「赤色、青色および緑色を点灯させる」ためのアクティベーションコードはチャネル２で送信することができ、チャネル１とチャネル２には全体のリストバンド、もしくは（好ましくは相互に排他的な）リストバンドの個別のグループに割り当てられている。実際、データバースト中のアドレスの「ヘッダー」の利用は、特定のチャネルの識別に類似するものである。したがって、「チャネル」という表現は、リストバンドのグループを規定するものとして理解されるべきものである。
【００６７】
照明制御装置は、埋め込むように配置することができ、予め設定された自動化されたスケジュールに応じて、もしくは手動で選択されたアクティベーションコードおよび照明制御装置の制御盤による手動のキー操作（等による）指示に応じて、（データバースト中の）アクティベーションコードを送信することができる。
【００６８】
さらに他の実施例として、ＬＥＤストリップを柔軟性を有するＰＣＢを使用して形成することができ、これにより各構成要素を統合するためのＬＥＤストリングと制御部および電源回路との結合端部を簡素化することができる。しかしながら、フレキシブル回路基板を使用することにより、回路基板ケース７０４の電池およびそれに付随する端子接続を保持する機能を実質的に低下させることになる。
【００６９】
また、このリストバンドは観客参加型の機器であるため、（例えば、図７に基づいた）実施例では、例えば、アリーナの入場口および／またはアリーナ内の（商品やサービスを購入するための）売店等の場所において読み込み可能に構成されたＲＦＩＤ回路が内蔵されている。ＲＦＩＤは、好ましくは、受信機器に電力を供給するためにリストバンドで使用されているローカル電池からの電力を必要としない受動素子であるため、リストバンドの機能性を向上することができる。通常、ＲＦＩＤアンテナはコイルもしくは回路基板の配線により形成され、そのコイルもしくは回路基板は部分的に、もしくは全体的に回路基板ケース７０４の内部および／またはＬＥＤのストリングが貫通させられているリストバンドの袖状の部分の範囲内に収めることができる。ＲＦＩＤアンテナの配置に関しては、リストバンド内のＲＦ回路用の電源として用いられる一つもしくはそれ以上の電池から隔離されていることが好ましく、そのためＲＦＩＤアンテナは電池ケースの金属部分から（ある程度）隔離される、すなわちＲＦＩＤは、（回路基板ケース７０４よりも）リストバンド側の柔軟性を有するＰＣＢ製の部分の範囲内で、統合されたトラックとして形成されている。
【００７０】
さらに他の実施例として、リストバンドのＬＥＤ操作は、送信されたデータバースト内に埋め込まれた制御信号に同期して行うことができる。より具体的には、音楽ＣＤもしくは同様のものに記憶された音声信号（もしくは特定の音声信号用の適宜のチャネル）を、オーディオプレイヤーにより検出かつ復元可能な（アクティベーションコードを発効することができる、副音声ＣＴＣＳＳコードもしくはＤＴＭＦ信号のような）制御信号に埋め込むことができる。このように埋め込まれた信号は、音楽のビートに合わせて設定することもでき、または、それに替えて、音声トラックもしくは順序における一つまたはそれ以上の契機となる時点において、予め設定されたＬＥＤ効果を実行するように設定することもできる。復元された制御信号は、その後、適宜に変調されたデータバーストとして、ＲＦ制御チャネルで、（オーディオプレイヤーに接続され、従来のコード／トーン認識および復元回路に対応するＲＦ送信機により）送信される。目標とするゾーンのアドレスを指定する、またはそれに替えて、全範囲のリストバンドの受信機のアドレスを指定する広範囲のコマンドのいずれとしても使用することができるデータバーストは、その後、データバーストのインストラクション／アクティベーションコードに応じてＬＥＤイルミネーションの同期制御を実行するためにリストバンドの受信機において復元される。この方法では、音声トラック（場合によっては、ビデオトラック）に埋め込まれた制御信号により、ＣＤの音声（もしくはビデオ）トラックのビート、もしくは楽曲のフレーズに合わせた音楽ビート同期を達成し、ＬＥＤを独自に制御することが可能となる。したがって、埋め込まれたＲＦ通信のコードにより、リストバンドのメモリに記憶されている予めプログラムされたＬＥＤイルミネーションシーケンスにアクセスすることができ、あるいはそれに替えて、リストバンドのイルミネーションを直接制御することができる。
【００７１】
「ゾーン」や「バッチ」との表現は、場所および／または時間に基づいて選択的に作動するリストバンドのグループに関するものと解釈される。同様に、「リストバンド」との表現は限定されるものではなく、ネックレス、ブレスレットやヘッドバンドといった他の着用可能な物品も含まれる。
【００７２】
いずれか特定の実施例における特徴が相互に矛盾するものと明確に立証される場合、もしくは、前後の文脈の文意が相互に排他的であり、実施例として、および／または裏付けとして容易に組み合わせることができない場合を除き、本願発明の全体において開示された補足的な実施例に特有の特徴は、包括的であるが若干相違する、一つまたはそれ以上の技術的解決法を提案するために選択的に組み合わせることが可能であると解釈され、考慮されるべきものである。
【図１】
2014529844.tif 000003
【図２】
2014529844.tif 000004
【図３】
2014529844.tif 000005
【図４】
2014529844.tif 000006
【図５】
2014529844.tif 000007
【図６】
2014529844.tif 000008
【図７】
2014529844.tif 000009
【手続補正書】
【提出日】平成26年5月8日(2014.5.8)
【手続補正１】
【補正対象書類名】特許請求の範囲
【補正対象項目名】全文
【補正方法】変更
【補正の内容】
【特許請求の範囲】
【請求項１】
識別アドレスを有する、もしくは指定された特定のチャネルに対応する、ワイヤレスでアドレス可能なリストバンド（１２）において、
対応するアクティベーションコード毎にインデックスされた少なくとも一つの予めプログラムされた照明制御シーケンスが記憶させられたメモリ（２５）と、
ＲＦデータバースト（３８）を受信し、かつ前記ＲＦデータバーストがワイヤレスでアドレス可能な前記リストバンド（１２）の前記識別アドレスを含む場合、もしくは前記データバーストが指定された特定の前記チャネルに存在する場合、アクティベーションコード（２０４）を復元するように設けられたＲＦ受信機（３４）と、
復元された前記アクティベーションコードに応答でき、かつ前記メモリに接続され、受信した前記データバースト内の前記アクティベーションコードが識別された場合に、少なくとも一つの前記照明制御シーケンスを実行するように調整もしくは構成されたコントローラ（２８）と、
前記リストバンド（１２）と一体化され、前記コントローラ（２８）に応じて操作される少なくとも一つの光源（３６）と、を備え、
前記コントローラは、予めプログラムされた前記照明制御シーケンスに応じて前記光源（３６）を選択的に発光させるように調整もしくは構成されているワイヤレスでアドレス可能なリストバンド（１２）。
【請求項２】
対応する前記アクティベーションコード毎にインデックスされた複数の異なる前記照明制御シーケンスが前記メモリに記憶されている、請求項１に記載のワイヤレスでアドレス可能なリストバンド（１２）。
【請求項３】
複数のＬＥＤ光源を更に含み、各照明制御シーケンスは、特定の復元可能なアクティベーションコードと一つもしくはそれ以上の受信した前記データバーストとに紐付けられ、各特定のアクティベーションコードは、一つもしくはそれ以上の複数の前記ＬＥＤ光源を独立して制御するように構成されている、請求項１または２に記載のワイヤレスでアドレス可能なリストバンド（１２）。
【請求項４】
前記リストバンドはインターフェース（２８）を含み、かつ前記メモリ（２５）は前記インターフェース（２８）を介してアクセス可能な、ダウンロード可能なデータファイルを含む、請求項１ないし３のいずれかに記載のワイヤレスでアドレス可能なリストバンド（１２）。
【請求項５】
前記識別アドレスを備えるようにプログラム可能である、請求項１ないし４のいずれかに記載のワイヤレスでアドレス可能なリストバンド（１２）。
【請求項６】
境界もしくはセキュリティチェックポイントを通過することを許可するべく前記リストバンドを認証するための、スキャン可能なバーコードもしくは電子署名を更に含む、請求項１ないし５のいずれかに記載のワイヤレスでアドレス可能なリストバンド（１２）。
【請求項７】
ＲＦＩＤを更に含む、請求項１ないし６のいずれかに記載のワイヤレスでアドレス可能なリストバンド（１２）。
【請求項８】
請求項１ないし８のいずれかに記載のワイヤレスでアドレス可能なリストバンドの第１グループは第１ゾーンアドレスに紐付けられ、前記ワイヤレスでアドレス可能なリストバンドの第２グループは前記第１ゾーンアドレスとは異なる第２ゾーンアドレスに紐付けられ、前記第１グループは、前記第１ゾーンアドレスを含むデータバーストを受信したことに対して選択的に作動させられ、前記第２グループは、前記第２ゾーンアドレスを含むデータバーストを受信したことに対して選択的に作動させられる、請求項１ないし８のいずれかに記載のワイヤレスでアドレス可能なリストバンド（１２）を含む照明システム。
【請求項９】
ＲＦ送信機（４０）に接続され、前記ＲＦ送信機（４０）からのデータバースト送信を制御するように調整もしくは構成された前記ＤＭＸ照明制御装置（４２）を更に備えた請求項８に記載の照明システム。
【請求項１０】
観衆のうちの少なくとも一人の観衆が請求項１ないし７のいずれかに記載のワイヤレスでアドレス可能なリストバンド（１２）を供与されたイベントもしくは会場（１００）において照明効果を得るための方法であって、
音声トラックにおける少なくとも一つの音楽フレーズに同期させられる音声トラック用の埋め込み制御信号を復元し、
ＲＦデータバーストを少なくとも一つのリストバンドと通信させ、前記ＲＦデータバーストは前記音声トラックの前記埋め込み制御信号を反映させたＬＥＤイルミネーションの制御情報を含み、
前記少なくとも一つのリストバンドにより前記ＲＦデータバーストを受信し、かつ前記ＬＥＤイルミネーションの制御情報を復元し、かつ
前記少なくとも一つのリストバンドにおいて、復元した前記ＬＥＤイルミネーションの制御情報に従って、ＬＥＤイルミネーションを少なくとも一つの前記音楽フレーズに同期させることを実行する、ことを含む照明効果を得るための方法。
【請求項１１】
導体を介して互いに接続された複数のＬＥＤを含むＬＥＤストリップを含み、前記ＬＥＤストリップの少なくとも一部は、使用時に、ワイヤレスでアドレス可能なリストバンドのオペレーションを開始する制御インストラクションによりエンコードされた変調ＲＦ信号を受信するためのループアンテナ（５０８）として機能するように構成された、ワイヤレスでアドレス可能なリストバンド（１２）。
【請求項１２】
前記ループアンテナは無端状であり、ＬＥＤストリップの第１および第２の端部は、前記ＬＥＤストリップへの電力を調節するためのプロセッサにより制御されるスイッチを挟んで接続されている、請求項１１に記載のワイヤレスでアドレス可能なリストバンド（１２）。
【請求項１３】
前記ＬＥＤストリップは光透過性の袖状の部分（７０６）を通過している、請求項１１または１２に記載のワイヤレスでアドレス可能なリストバンド（１２）。
【請求項１４】
制御モジュールとＲＦ受信モジュールとに対してそれぞれ電力を供給する複数の電源を含み、前記制御モジュールはＬＥＤ操作を調節するように構成もしくは調整され、かつ前記ＲＦ受信モジュールは前記ループアンテナを介して受信され入力された変調信号からデータを復元するように構成もしくは調整された、請求項１１ないし１３のいずれかに記載のワイヤレスでアドレス可能なリストバンド（１２）。
【国際調査報告】
2014529844.tif 000010
2014529844.tif 000011
2014529844.tif 000012